(57)【要約】【課題】携帯端末装置を充電することが可能な状況にあるか否かを識別し、そのときの状況に応じて、異なる種類の充電に関するガイダンスを出力することができなかった。【解決手段】位置情報を取得する位置情報取得手段、電池の充電開始時刻と充電した位置情報とを対応させて記録した充電ログと、携帯端末装置の経時的な使用状況を記録した使用ログを作成するログ作成手段、充電ログと使用ログから現在の時刻から次の充電予測時刻までの時間に使用する消費電力を予測する消費電力予測手段、および電池残量が予測した消費電力より少ないときに、携帯端末装置が充電可能な位置にあるか否かを判断し、充電可能な位置にある場合は充電を促し、充電可能な位置でない場合には、充電予定時刻までの使用時間を出力する充電判定手段を有する。【選択図】      図１
2009017621.tif 000002
【特許請求の範囲】
【請求項１】
内蔵した二次電池で動作する携帯端末装置であって、
前記携帯端末装置の位置情報を取得する位置情報取得手段と、
前記二次電池の充電開始時刻と前記位置情報とを対応させて記録し、過去の記録傾向にもとづいて更新される充電間隔予測時刻情報を含む充電ログと、前記携帯端末装置の経時的な使用状況を記録し、過去の記録傾向にもとづいて更新される使用予測パターン情報を含む使用ログを作成するログ作成手段と、
前記充電間隔予測時刻情報を用いて次の充電予測時刻を識別し、前記使用予測パターン情報を用いて現在の時刻から当該識別した次の充電予測時刻までの時間における使用予測パターンを識別し、当該識別した使用予測パターンにもとづいて現在の時刻から次の充電予測時刻までの時間に使用する消費電力を予測する消費電力予測手段と、
前記二次電池の容量を監視し、前記消費電力予測手段が予測した現在の時刻から次の充電予測時刻までの時間における消費電力が前記二次電池の残容量でまかなえない状況にあることを識別すると、現在の位置情報と前記充電ログに記録された位置情報を比較して、現在の位置情報に応じて前記二次電池の充電に関する適切な対処情報を出力する充電判定手段と
を備えたことを特徴とする携帯端末装置。
【請求項２】
前記使用ログは、単位時間当たりの消費電力と対応するパラメータを有することを特徴とする請求項１記載の携帯端末装置。
【請求項３】
前記パラメータには、電源投入および切断情報、ＣＰＵ使用率およびアプリケーションの使用情報を含み、前記ログ作成手段は前記使用予測パターン情報を１日単位の使用予測パターンとして作成することを特徴とする請求項２記載の携帯端末装置。
【請求項４】
前記消費電力予測手段は、現在の時刻から次の充電予測時刻までの時間に含まれる前記使用予測パターン情報における前記電源投入および切断情報、前記ＣＰＵ使用率および前記アプリケーションの使用情報から求められるそれぞれの単位時間当たりの消費電力にもとづいて、現在の時刻から次の充電予測時刻までの時間に使用する消費電力を予測することを特徴とする請求項３記載の携帯端末装置。
【請求項５】
前記充電判定手段は、前記消費電力予測手段が予測した現在の時刻から次の充電予測時刻までの時間における消費電力が前記二次電池の残容量でまかなえない状況にあることを識別し、現在の位置情報が前記充電ログに記録された位置情報のいずれかと一致する場合には充電を促すメッセージを出力し、現在の位置情報が前記充電ログに記録されたいずれの位置情報とも一致しない場合には前記二次電池の残容量で使用可能な予測時間を示すメッセージを出力することを特徴とする請求項１ないし４のいずれかの請求項記載の携帯端末装置。
【請求項６】
前記携帯端末装置の前記二次電池を充電することが可能な環境の位置情報を外部から取得して充電可能位置テーブルとして記憶する充電可能位置情報取得手段と、
前記携帯端末装置の現在の位置情報と前記充電可能位置テーブルに記録された前記二次電池を充電することが可能な環境の位置情報とを比較して位置関係を識別する充電可能位置識別手段と
を更に備え、
前記充電判定手段は、前記消費電力予測手段が予測した現在の時刻から次の充電予測時刻までの時間における消費電力が前記二次電池の残容量でまかなえない状況にあることを識別すると、現在の位置情報と前記充電ログに記録された位置情報、および前記充電可能位置識別手段が識別した現在の位置情報と前記充電可能位置テーブルに記録された位置情報との位置関係にもとづいて、前記二次電池の充電に関する適切な対処情報を出力することを特徴とする請求項１ないし４のいずれかの請求項記載の携帯端末装置。
【請求項７】
前記充電判定手段は、前記消費電力予測手段が予測した現在の時刻から次の充電予測時刻までの時間における消費電力が前記二次電池の残容量でまかなえない状況にあることを識別し、現在の位置情報が前記充電ログに記録されたいずれの位置情報とも一致しない場合には、前記充電可能位置識別手段を用いて現在の位置情報と予め定めた距離以内に前記充電可能位置テーブルに含まれる前記二次電池を充電することが可能な環境の位置情報が含まれるか否かを識別することを特徴とする請求項６記載の携帯端末装置。
【請求項８】
前記充電判定手段は、前記充電可能位置識別手段が前記二次電池を充電することが可能な環境の位置情報が含まれることを識別した場合には当該識別した位置情報を示すメッセージを出力し、前記二次電池を充電することが可能な環境の位置情報が含まれないことを識別した場合には前記二次電池の残容量で使用可能な予測時間を示すメッセージを出力することを特徴とする請求項７記載の携帯端末装置。
【請求項９】
外部から取得する前記二次電池を充電することが可能な環境の前記位置情報には当該位置を示す地図情報を含み、前記充電判定手段は、現在の位置情報と予め定めた距離以内に前記充電可能位置テーブルに含まれる前記二次電池を充電することが可能な環境の位置情報が含まれることを識別した場合には、当該識別した位置情報を示す前記地図情報を含むメッセージを出力することを特徴とする請求項８記載の携帯端末装置。
【請求項１０】
携帯端末装置の位置情報を取得する位置情報取得手段を備え、内蔵した二次電池で動作する前記携帯端末装置の充電ガイダンス方法であって、
前記二次電池の充電開始時刻と前記位置情報とを対応させて記録し、過去の記録傾向にもとづいて更新される充電間隔予測時刻情報を含む充電ログと、前記携帯端末装置の経時的な使用状況を記録し、過去の記録傾向にもとづいて更新される使用予測パターン情報を含む使用ログを作成するログ作成ステップと、
前記充電間隔予測時刻情報を用いて次の充電予測時刻を識別し、前記使用予測パターン情報を用いて現在の時刻から当該識別した次の充電予測時刻までの時間における使用予測パターンを識別し、当該識別した使用予測パターンにもとづいて現在の時刻から次の充電予測時刻までの時間に使用する消費電力を予測する消費電力予測ステップと、
前記二次電池の容量を監視し、前記消費電力予測手段が予測した現在の時刻から次の充電予測時刻までの時間における消費電力が前記二次電池の残容量でまかなえない状況にあることを識別すると、現在の位置情報と前記充電ログに記録された位置情報を比較して、現在の位置情報に応じて前記二次電池の充電に関する適切な対処情報を出力する充電判定ステップと
を備えたことを特徴とする充電ガイダンス方法。
【請求項１１】
前記使用ログは、単位時間当たりの消費電力と対応するパラメータを有することを特徴とする請求項１０記載の充電ガイダンス方法。
【請求項１２】
前記パラメータは、電源投入および切断情報、ＣＰＵ使用率およびアプリケーションの使用情報を含み、前記ログ作成ステップは、前記使用予測パターン情報を１日単位の使用予測パターンとして作成することを特徴とする請求項１１記載の充電ガイダンス方法。
【請求項１３】
前記消費電力予測ステップは、現在の時刻から次の充電予測時刻までの時間に含まれる前記使用予測パターン情報における前記電源投入および切断情報、前記ＣＰＵ使用率および前記アプリケーションの使用情報から求められるそれぞれの単位時間当たりの消費電力にもとづいて、現在の時刻から次の充電予測時刻までの時間に使用する消費電力を予測することを特徴とする請求項１２記載の充電ガイダンス方法。
【請求項１４】
前記充電判定ステップは、前記消費電力予測ステップで予測した現在の時刻から次の充電予測時刻までの時間における消費電力が前記二次電池の残容量でまかなえない状況にあることを識別し、現在の位置情報が前記充電ログに記録された位置情報のいずれかと一致する場合には充電を促すメッセージを出力し、現在の位置情報が前記充電ログに記録されたいずれの位置情報とも一致しない場合には前記二次電池の残容量で使用可能な予測時間を示すメッセージを出力することを特徴とする請求項１０ないし１３のいずれかの請求項記載の充電ガイダンス方法。
【請求項１５】
前記携帯端末装置の前記二次電池を充電することが可能な環境の位置情報を外部から取得して、充電可能位置テーブルとして記憶する充電可能位置情報取得ステップと、
前記携帯端末装置の現在の位置情報と前記充電可能位置テーブルに記録された前記二次電池を充電することが可能な環境の位置情報とを比較して位置関係を識別する充電可能位置識別ステップとを更に備え、
前記充電判定ステップは、前記消費電力予測ステップで予測した現在の時刻から次の充電予測時刻までの時間における消費電力が前記二次電池の残容量でまかなえない状況にあることを識別すると、現在の位置情報と前記充電ログに記録された位置情報、および前記充電可能位置識別ステップで識別した前記位置関係に応じて、前記二次電池の充電に関する適切な対処情報を出力することを特徴とする請求項１０ないし１３のいずれかの請求項記載の充電ガイダンス方法。
【請求項１６】
前記充電判定ステップが、前記消費電力予測ステップで予測した現在の時刻から次の充電予測時刻までの時間における消費電力が前記二次電池の残容量でまかなえない状況にあること、および現在の位置情報が前記充電ログに記録されたいずれの位置情報とも一致しないことを識別した場合に、前記充電可能位置識別ステップは、現在の位置情報と予め定めた距離以内に前記充電可能位置テーブルに含まれる前記二次電池を充電することが可能な環境の位置情報が含まれるか否かを識別することを特徴とする請求項１５記載の充電ガイダンス方法。
【請求項１７】
前記充電判定ステップは、前記充電可能位置識別ステップが、現在の位置情報と予め定めた距離以内に前記充電可能位置テーブルに含まれる前記二次電池を充電することが可能な環境の位置情報が含まれることを識別した場合には当該識別した位置情報を示すメッセージを出力し、前記二次電池を充電することが可能な環境の位置情報が含まれないことを識別した場合には前記二次電池の残容量で使用可能な予測時間を示すメッセージを出力することを特徴とする請求項１６記載の充電ガイダンス方法。
【請求項１８】
外部から取得する前記二次電池を充電することが可能な環境の前記位置情報には当該位置を示す地図情報を含み、前記充電判定ステップは、前記充電可能位置識別ステップが、現在の位置情報と予め定めた距離以内に前記充電可能位置テーブルに含まれる前記二次電池を充電することが可能な環境の位置情報が含まれることを識別した場合には、当該識別した位置情報を示す前記地図情報を含むメッセージを出力することを特徴とする請求項１７記載の充電ガイダンス方法。
【発明の詳細な説明】
【技術分野】
【０００１】
本発明は、携帯端末装置に関し、特に、内蔵する二次電池の過去の充電実績から求めた次の充電予測時刻までの消費電力を当該携帯端末装置の過去の使用実績から予測して求め、電池残量が予測した消費電力より少ない場合であって充電が可能な状況にある場合には充電を促し、充電が可能な状況でない場合には充電予測時刻までの使用可能時間を予測して出力する携帯端末装置および充電ガイダンス方法に関する。
【背景技術】
【０００２】
携帯端末装置が内蔵する二次電池の電池残量に関する充電ガイダンスは、電池電圧を測定し、電池残量が少なくなる事による電圧低下を検出して液晶表示装置等の表示部に電池残量を表示し、充電が必要である事を示していた。この方式は、現時点の電池残量に関する表示であり、当該端末のこれから使用可能な時間までを考慮したガイドではなかった。
【０００３】
この問題を解決するために、特許文献１や特許文献２が開示するように、動作状態に応じた電力消費量を計算して電池残量を表示する技術がある。
【０００４】
特許文献１は、正確に使用電力を管理することができる携帯電話端末に関する技術を開示している。特許文献１によれば、過去に行われた充電の開始時刻の平均に基づいて次回の充電が予想される時刻を求める。そして、過去の通話記録からこの充電可能時刻までに使用する予想通話時間を求める。そして、この予想通話時間のために必要な電力と充電地に残された電力とを比較して、充電地に残された電力が少ない場合は、携帯電話端末の付加機能を制限したり、ユーザーに報知したりする。
【０００５】
特許文献２は、電池の残り使用可能時間を正確に推定して使用者に報知することができる携帯端末装置に関する技術を開示している。特許文献２によれば、累積通話時間及び累積待受時間を基に電池の残り使用可能時間を算出し、端末の電源をＯＮしたときにその残り使用可能時間、前回の充電完了時間、電池使用時間などを表示している。
【０００６】
【特許文献１】特開２００１−３２６７２１号公報
【特許文献２】特開２００３−１０１４６６号公報
【発明の開示】
【発明が解決しようとする課題】
【０００７】
上述した特許文献１や特許文献２に記載の技術は、充電池に残された電力が少ない場合に電池残量に基づく通話可能時間等を把握する事は出来る。しかし、携帯端末の充電可能な場所については一切考慮されていないため、携帯端末を充電することが可能な状況であるか否かについては何ら出力することができない。そのため、せっかく充電することが可能な状況にありながらその旨を通知することができないという問題点があった。逆に、充電することができない環境において電池残量が少ないことを突然通知されても、ユーザーにとっては戸惑うばかりであり、何ら有効な情報にはなり得ないという問題点があった。
【０００８】
本発明の目的は、上述した課題を解決する携帯端末装置および充電ガイダンス方法を提供することにある。
【課題を解決するための手段】
【０００９】
本発明の携帯端末装置は、内蔵した二次電池で動作する携帯端末装置であって、携帯端末装置の位置情報を取得する位置情報取得手段、ログ作成手段、消費電力予測手段および充電判定手段を有して構成する。
【００１０】
ログ作成手段は、二次電池の充電開始時刻と前記位置情報とを対応させて記録し、過去の記録傾向にもとづいて更新される充電間隔予測時刻情報を含む充電ログと、前記携帯端末装置の経時的な使用状況を記録し、過去の記録傾向にもとづいて更新される使用予測パターン情報を含む使用ログを作成する。
【００１１】
消費電力予測手段は、前記充電間隔予測時刻情報を用いて次の充電予測時刻を識別し、前記使用予測パターン情報を用いて現在の時刻から当該識別した次の充電予測時刻までの時間における使用予測パターンを識別し、当該識別した使用予測パターンにもとづいて現在の時刻から次の充電予測時刻までの時間に使用する消費電力を予測する。
【００１２】
充電判定手段は、二次電池の容量を監視し、前記消費電力予測手段が予測した現在の時刻から次の充電予測時刻までの時間における消費電力が前記二次電池の残容量でまかなえない状況にあることを識別すると、現在の位置情報と前記充電ログに記録された位置情報を比較して、現在の位置情報に応じて前記二次電池の充電に関する適切な対処情報を出力する。
【００１３】
また、本発明の充電ガイダンス方法は、携帯端末装置の位置情報を取得する位置情報取得手段を備え、内蔵した二次電池で動作する前記携帯端末装置の充電ガイダンス方法であって、ログ作成ステップ、消費電力予測ステップおよび充電判定ステップを有する構成である。
【００１４】
ログ作成ステップは、二次電池の充電開始時刻と前記位置情報とを対応させて記録し、過去の記録傾向にもとづいて更新される充電間隔予測時刻情報を含む充電ログと、前記携帯端末装置の経時的な使用状況を記録し、過去の記録傾向にもとづいて更新される使用予測パターン情報を含む使用ログを作成する。
【００１５】
消費電力予測ステップは、前記充電間隔予測時刻情報を用いて次の充電予測時刻を識別し、前記使用予測パターン情報を用いて現在の時刻から当該識別した次の充電予測時刻までの時間における使用予測パターンを識別し、当該識別した使用予測パターンにもとづいて現在の時刻から次の充電予測時刻までの時間に使用する消費電力を予測する。
【００１６】
充電判定ステップは、二次電池の容量を監視し、前記消費電力予測手段が予測した現在の時刻から次の充電予測時刻までの時間における消費電力が前記二次電池の残容量でまかなえない状況にあることを識別すると、現在の位置情報と前記充電ログに記録された位置情報を比較して、現在の位置情報に応じて前記二次電池の充電に関する適切な対処情報を出力する。
【発明の効果】
【００１７】
本発明では、携帯端末装置を充電することが可能な状況にあるか否かを識別し、そのときの状況に応じて、異なる種類の充電に関するガイダンスを出力することが可能となる。
【発明を実施するための最良の形態】
【００１８】
本発明の携帯端末装置の実施例１の構成について図１を参照して説明する。
【００１９】
本発明の実施例１に係る携帯端末装置１００は、内蔵する二次電池１３０を用いて使用される携帯端末装置である。内蔵された二次電池を用いて使用される携帯端末であれば、例えば携帯電話機、ノート型ＰＣ（パーソナル・コンピュータ）、ＰＤＡ（パーソナル・ディジタル・アシスタンス）、ＰＨＳ（パーソナル・ハンディ・フォン・システム）、携帯ゲーム機、携帯テレビ、携帯ＧＰＳ（グローバル・ポジショニング・システム）端末等のいずれでもよいし、またこれらに限定されることもない。以降の説明においては、「二次電池」を、単に「電池」と称する。
携帯端末装置１００は、携帯端末装置１００の位置情報を取得する位置情報取得部１２０、携帯端末装置１００に内蔵する電池１３０への充電ログ（後述）１４１および携帯端末装置１００の使用ログ（後述）１４２を有する記憶部１４０、および位置情報取得部１２０から受信した位置情報１２１、充電制御部１５０から受信した充電情報１５１を入力して本発明に係る制御を司り、電池残容量で使用可能な時間や充電に関する表示情報１１４を表示部１６０に出力する制御部１１０を主要な構成要素とする。
【００２０】
位置情報取得部１２０は、ＧＰＳ衛星からの信号を受信して位置を取得するＧＰＳ装置に代表されるが、位置情報を取得できる手段である限り位置情報取得部１２０はＧＰＳ装置に限定するものではない。例えば、携帯電話システムやＰＨＳの無線基地局が送信する基地局識別情報や、無線ＬＡＮのＡＰ（アクセスポイント）識別情報を取得して位置を識別する手段でもよい。また、各所に配置されて位置情報を送信している送信機との間で近距離無線通信により位置を識別する手段でもかまわない。
【００２１】
制御部１１０は、ログ収集部１１１、使用電力予測部１１２および充電判定部１１３を主要な構成要素としている。制御部１１０は、図示しないメモリに蓄積されたプログラムを読み出して実行するＣＰＵ（中央制御装置）であり、ログ収集部１１１、使用電力予測部１１２および充電判定部１１３のいずれもプログラム制御で機能を実現している。
【００２２】
ログ収集部１１１は、後述するように、位置情報取得手段１２０から受信する位置情報１２１、充電制御部１５０から受信する充電情報１５１およびそのときの時刻情報を用いて充電ログ１４１を作成したり、携帯端末装置１００の使用状況に基づいて使用ログ１４２を作成する。詳細は後述するが、充電ログ１４１の例を図２に、使用ログ１４２の例を図３に示す。
【００２３】
使用電力予測部１１２は、充電ログ１４１および使用ログ１４２のログ情報に基づいて現在の時刻から次に充電が行われることが予想される時刻までの時間までに携帯端末装置１００で消費する電力を予測する。使用電力予測部１１２の処理は、充電判定部１１３の指示にもとづいて実行される。充電判定部１１３は、後述する充電要否監視制御の全体処理を司り、電池１３０の残容量を監視し、その残容量で使用電力予測部１１２が予測した消費電力をまかなえるか否かを判定する。判定の結果が「否」であった場合には、携帯端末装置１００の現在位置に応じた対処メッセージを表示部１６０に出力する。なお、表示部１６０は、液晶表示装置に代表される表示手段を用いている。
【００２４】
このように構成された携帯端末装置１００の動作を説明する。
【００２５】
図４は、実施例１に係る携帯端末装置１００の充電ログ作成動作を示すフローチャートである。充電ログ作成動作は、図１の充電制御部１５０が充電状態を検出して制御部１１０に充電情報１５１を送信することにより開始する。すなわち、ユーザーが当該携帯端末装置１００に内蔵されている電池１３０を充電するために、当該携帯端末装置１００の充電端子にＡＣ電源またはＡＣアダプタを接続すると充電電流が電池１３０に供給される。
【００２６】
電池１３０の充電状態を制御する充電制御部１５０は、この充電電流を検出して充電情報１５１を出力する（ステップ４０１）。ログ収集部１１１は、この充電情報１５１を受信（ステップ４０２）すると、そのときの時間情報を図示しない内部時計から取得する（ステップ４０３）。また、ログ収集部１１１は位置情報取得部１２０を介して当該携帯端末装置１００の位置する位置情報１２１を取得する（ステップ４０４）。取得した時間情報および位置情報にもとづいて充電ログ１４１を作成する（ステップ４０５）。
【００２７】
このように、ログ収集部１１１は、充電状態を検出して出力される充電情報１５１を受信するたびに、充電が開始された時間情報および位置情報を取得して、図２に示すような充電ログ１４１を作成する。
【００２８】
図２に示すように、充電ログ１４１には時間情報として充電が開始された月日と時分秒情報が、位置情報としてそのときの位置を示す識別情報が記録される。なお、位置情報は、位置情報取得部１２０がＧＰＳ装置である場合には緯度・経度が記録される。また、携帯電話システムやＰＨＳの無線基地局が送信する基地局識別情報、無線ＬＡＮのＡＰ識別情報、近距離無線通信の送信機の識別情報を位置情報として用いる場合には、それぞれの識別情報が記録される。
【００２９】
次に、使用ログ１４２を作成する動作を説明する。
【００３０】
図３は、ログ収集部１１１が作成した携帯端末装置１００の使用ログの概念を説明する概念図である。使用ログ１４２にはいろいろな種類の使用状況が含まれ、例として携帯端末装置１００の電源が投入されてから電源が切断されるまでのログを記録した電源ログ、電源が投入されて携帯端末装置１００が稼動している間のＣＰＵの負荷状況を記録したＣＰＵ負荷ログ、さらに、携帯端末装置１００が有する各種のアプリケーションの使用状況を記録したアプリケーションログなどがある。
【００３１】
各使用ログは個別に作成されるが、ある1日の使用状況をまとめると図３に示すような概念で表される。つまり、電源が投入されて携帯端末装置１００が稼動しているのは何時何分から何時何分までか、稼働中にどのようなアプリケーションが使用されているか、さらにそれと対応してＣＰＵの負荷状況はどのように変化するかなどが1日ごとに記録される。
【００３２】
図５（ａ）、（ｂ）、（ｃ）は、それぞれの使用ログを作成するログ収集部１１１の動作を示すフローチャートである。
【００３３】
図５（ａ）は電源ログを作成する際の動作である。携帯端末装置１００の電源が投入されると（ステップ５０１）、それを検出したログ収集部１１１はそのときの時間情報を図示しない内部時計から取得する（ステップ５０２）。携帯端末装置１００の終了操作を検出すると（ステップ５０３）そのときの時間情報を内部時計から取得し（ステップ５０４）、１つの電源ログの作成を完了する（ステップ５０５）。携帯端末装置１００は終了操作により電源が断となる。このような処理を電源の投入と断が行われるごとに繰り返して電源ログを作成してゆく。
【００３４】
図５（ｂ）はＣＰＵ負荷ログを作成する動作である。ログ収集部１１１において、ＣＰＵ負荷を収集するプログラムが定期的に起動される。起動されると、そのときの時間情報とＣＰＵ負荷（使用率）をそれぞれ取得する（ステップ５１１、５１２）。そして、携帯端末装置１００の電源が投入されて、稼動状態にある間はこの処理が繰り返し行われてＣＰＵ負荷ログを作成してゆく。
【００３５】
図５（ｃ）は各種のアプリケーションの使用状況のアプリケーションログを作成する動作である。アプリケーションが起動されると、ログ収集部１１１は、アプリケーションの種類とそのときの時間情報を取得する（ステップ５２１）。アプリケーションの終了動作を検出すると（ステップ５２２）そのときの時間情報を取得し（ステップ５２３）、アプリケーションに対応した使用ログを作成する（ステップ５２４）。携帯端末装置１００が稼動状態にある間は、各種のアプリケーションが使用される度にこの処理を実行してアプリケーションの使用ログを作成してゆく。
【００３６】
ログ収集部１１１は、上述したような各種の使用ログを１日ごとに図３に概念を示すように記憶部１４０に記憶する。
【００３７】
なお、ログ収集部１１１は、上述した充電ログ１４１および使用ログ１４２を作成すると同時に、これらのログ情報の蓄積に伴い、充電を行った時刻の間隔を示す充電間隔時間情報と、携帯端末装置の使用状況を示す使用予測パターン情報を作成する。これらの充電間隔時間情報および使用予測パターン情報は、それぞれ充電ログ１４１および使用ログ１４２に含まれる。充電間隔時間情報および使用予測パターン情報の詳細は後述する。
【００３８】
次に、本発明の携帯端末装置１００における充電要否監視制御を図６に示すフローチャートを参照して説明する。
【００３９】
携帯端末装置１００の電源が投入されると、図２に示す充電判定部１１３が起動されて充電要否監視制御の動作を開始する。充電判定部１１３は、内蔵されている電池１３０の残容量情報を取得して（ステップ６０１）電池残容量が予め定めた値に達しているか否かを判断して監視制御の継続か待機かを決める（ステップ６０２）。例えば、電池残容量が満充電状態の値から半分の値にまで減った場合に監視制御を継続するというように設定してあると仮定すると、電池残容量がそれ以上であれば監視制御を継続せずに一定時間待機する（ステップ６０３）。つまり、当該携帯端末装置１００のＣＰＵに余分な負荷をかけないようにするために、電池１３０の残容量に余裕があるとみなされる場合には監視制御を継続せずに一時待機する。
【００４０】
電池１３０の残容量情報を取得した結果、満充電状態の値から例えば半分の値以下になっていたとすると以下の制御を継続する。
【００４１】
まず、現在の時刻情報と充電ログ１４１に記録されている最新の充電時刻から次回の充電時刻を予測する（ステップ６０４）。これは、充電ログ１４１に記録されている過去の充電時刻の記録から統計的に求めた充電間隔時間情報を用いる。
【００４２】
この充電間隔時間情報は、前述したように、ログ収集部１１１がログの蓄積に応じて作成するものであり、充電ログの蓄積に伴って適宜更新されている。
【００４３】
充電間隔時間情報の一番簡単な作成方法としては、１日毎に、それまでに行われた充電のそれぞれの間隔時間を求め、その平均値を充電間隔時間とすればよい。つまり、１日毎に蓄積された充電ログが、累積して反映された充電間隔時間情報を作成することができる。
【００４４】
また、曜日ごとに充電ログを集計した、曜日ごとの平均値にもとづく充電間隔時間情報を作成してもよい。この場合も、充電ログの蓄積に応じて適宜更新されるものとする。そして、充電間隔時間情報を使用する場合は、当該曜日に該当する曜日の充電間隔時間情報を使用すればよい。さらに精度を高めるためには、使用ログ１４２の電源ログの情報と組合せて、それぞれの充電間隔の時間に含まれる電源ＯＮの累計時間にもとづく重み付けをした充電間隔時間情報を作成してもよい。
【００４５】
充電判定部１１３は、ステップ６０４の処理で、このようにして求めた充電間隔時間情報から次回の充電予測時刻を知り、現在の時刻と次回の充電予測時刻までの時間情報を得る。
【００４６】
次に、充電判定部１１３は、使用電力予測部１１２に指示して、ステップ６０４の処理で求めた次回の充電予測時刻までの時間に当該携帯端末装置１００が使用する電力予測値を求める。
【００４７】
使用電力予測部１１２は、使用ログ１４２を参照して、前述した使用予測パターン情報にもとづき、ステップ６０４の処理で求めた次回の充電予測時刻までの時間に、当該携帯端末装置１００がどのように使用され得るかをまず予測、識別する（ステップ６０５）。
【００４８】
ここで、ログ収集部１１１が作成する使用予測パターン情報について説明しておく。図３に示したようにして管理している使用ログの過去の記録にもとづいて、１日を単位（０時０分から２３時５９分まで）として、当該携帯端末装置１００が平均的にどのように使用され得るかを示す使用予測パターン情報を予め作成するものである。つまり、使用予測パターン情報には、１日の時系列に従って、電源ＯＮ／ＯＦＦ情報、稼働中の時間毎のＣＰＵ負荷情報、アプリケーションの時間毎の平均的な使用状況を示す情報が図３に示したような概念で含まれている。そして、この使用予測パターン情報は、使用ログ１４２の蓄積・更新に応じて最新のパターンに適宜更新されている。
【００４９】
従って、この使用予測パターン情報を曜日毎に作成しておいてもよい。曜日毎に作成している場合は、当該曜日に対応する曜日の使用予測パターンが用いられる。
【００５０】
なお、ここで作成される使用予測パターン情報には、消費電力の予測が可能なパラメータが含まれる。例えば、ＣＰＵ負荷（使用率）が消費電力と対応付けられているのであれば、電源ログにもとづく稼働時間と、各稼働時間における時間毎のＣＰＵ負荷を含む使用予測パターン情報を作成すればよい。つまり、各種のアプリケーションの使用ログとＣＰＵ負荷との比例関係が証明されていれば、アプリケーション使用ログを使わなくてもよい。また、ＣＰＵ負荷と消費電力との対応関係にアプリケーションごとの重み付けが必要であれば、アプリケーション使用ログを含んだ使用予測パターン情報を作成すればよい。
【００５１】
使用電力予測部１１２は、このように作成されている使用ログ１４２に含まれる使用予測パターン情報にもとづき、現在の時刻から次回の充電予測時刻までの時間に、当該携帯端末装置１００がどのように使用され得るかを識別し（ステップ６０５）、その時間内の使用状況に含まれるパラメータから消費電力を予測（算出）する（ステップ６０６）。
【００５２】
つまり、使用予測パターン情報における現在の時間および次に充電が予測される時間までの間の使用状況予測と、その使用状況予測における単位時間当たりの使用電力の累積値から消費電力を算出する。
【００５３】
例えば、現在の時間が１４時で、次に充電が予測される時刻までの時間が２０時間であった場合、使用予測パターン情報の１４時から翌日の１０時までの使用状況を求め、１４時から翌日の１０時までの１時間毎の使用予測電力を累積した値が消費電力として予測される。もし曜日毎の使用予測パターン情報を用いている場合には、１４時から２４時までの使用状況を当該曜日の使用予測パターン情報を用いて、そして、翌日の０時から１０時までの使用状況を翌日の曜日の使用予測パターン情報を用いて算出すればよい。
【００５４】
このようにして、充電判定部１１３は、現在の時刻から次回の充電予測時刻までの時間に消費が予測される電力値の情報を得る。
【００５５】
続いて、充電判定部１１３は、電池１３０の残容量で次回の充電予測時刻までの時間に使用される電力がまかなえるか否かを判定する（ステップ６０７）。
【００５６】
電池１３０の残容量で次回の充電予測時刻までの時間に使用される電力がまかなえる場合（ステップ６０７：ＮＯ）には、それ以上の処理を行わずに一定時間待機（ステップ６０８）した後に、再度、監視制御を最初から実行する。
【００５７】
一方、電池１３０の残容量で次回の充電予測時刻までの時間に使用される電力がまかなえない場合（ステップ６０７：ＹＥＳ）には、ユーザーへの警報表示制御を実行する。この制御において、充電判定部１１３は位置情報取得部１２０から現在の位置情報１２１を取得する（ステップ６０９）。つまり、当該携帯端末装置１００がどこで使用されているかを識別する。また一方で、充電ログ１４１に記録されている充電を行った位置情報を取得する（ステップ６１０）。
【００５８】
充電ログ１４１に記録されている位置情報と現在の位置情報を比較して、携帯端末装置を現在使用している場所が、過去に充電を行った場所に含まれるか否かを判定する（ステップ６１１）。つまり、現在の場所が過去に充電を行った場所に含まれている場合には、充電可能な環境にあることを知る。
【００５９】
ステップ６１１の判定で、現在の場所が充電可能な環境にあることを識別した場合は、ユーザーに充電するように促すメッセージを表示部１６０に表示する（ステップ６１２）。また、現在の場所が充電可能な環境ではないことを識別した場合は、電池残容量から求めた使用可能予測時間を示すメッセージを表示部１６０に表示する（ステップ６１３）。使用可能予測時間は、ステップ６０５、６０６の処理で求めた使用予測パターンにもとづく消費電力を電池残容量で供給可能な時間を算出することにより求めることができる。
【００６０】
特に、充電を促すメッセージを出力する場合、当該場所が充電可能な環境にあること、および電池残容量から求めた使用可能予測時間とを併せて表示し、ユーザーがこの場所で充電すべきか、もうすこし待ってから充電してもかまわない状況にあるかを、ユーザーの実際の今後の予定から判断させるような内容であることが望ましい。例えば、電池残容量から求めた使用可能予測時間が５時間と表示され、現在は充電可能な場所にいて携帯端末装置を使っているが、すぐに外出して８時間程度戻らないような予定になっているのであれば、ユーザーは現時点で充電すべきと判断できる。一方、使用可能予測時間が５時間と表示されても、継続して充電可能な場所にいて携帯端末装置を使用する予定の場合には、ユーザーはもうすこし後で充電しようという判断をすることもできる。
【００６１】
このようなメッセージ表示を行うと、一定時間待機（ステップ６１４）した後に、再度、監視制御を最初から実行する。
【００６２】
なお、ステップ６０３、６０８および６１４において、一定時間待機する処理を行うが、それぞれ異なる状況下での処理なので、待機する時間はそれぞれ異なる。ステップ６０３での待機時間は、電池の残容量が十分な状況下なので、例えば、1時間単位での待機時間でかまわない。ステップ６０８での待機時間は、電池の残容量は少なくなってきているが、継続使用には支障のない状況なので、例えば、１０分単位での待機時間でかまわない。また、ステップ６１４での待機時間は、電池の残容量が非常に少なくなった状況下なので、例えば、１分単位で待機して、次の監視処理の際において電池に充電が行われていなければ、ユーザーに再度メッセージ表示を行う必要がある。もちろん、これらの待機時間は一例であって、電池容量や携帯端末装置の種別等によって任意に決めてよいことは言うまでもない。
【００６３】
以上説明したように、本発明の実施例１は、充電を行った時刻と位置情報を記録した過去の充電実績に基づいて最も間近に充電が行われる時刻を求め、現在の時刻からこの時刻までの消費予測電力を過去の使用実績から求め、現在の電池残容量と消費予測電力との関係から電池残量に関する充電ガイダンス表示の必要の有無を判断している。そして、充電ガイダンス表示の必要有と判断すると、現在の位置情報と充電を行った際に記録した位置情報とにもとづいて適切な表示出力を行う。そのため、ユーザーは携帯端末装置を充電することが可能な状況にあることを容易に知ることができ、ユーザーが携帯端末装置を使用している途中に電池切れとなるような不都合を防ぐことが可能となる。
【００６４】
このように本発明の実施例１を図１の構成にもとづいて説明したが、本発明の携帯端末装置は図７に示すようなログ作成手段７０１、消費電力予測手段７０２および充電判定手段７０３を備えた制御部７０と、充電ログ７１１および使用ログ７１２を備えた記憶部７１と位置情報取得手段７２を有する構成であれば容易に実現できることは明らかである。
【００６５】
位置情報取得手段７２は、携帯端末装置の現在位置情報を取得する手段である。
【００６６】
ログ作成手段７０１は、携帯端末装置が内蔵する電池を充電した時刻と位置情報とを対応させて記録する充電ログ７１１と、携帯端末装置の経時的な使用状況を記録した使用ログ７１２を作成する。充電ログ７１１には、充電ログの過去の記録傾向から作成して適宜更新される充電間隔予測時刻情報を含む。また、使用ログ７１２には、使用ログの過去の記録傾向から作成して適宜更新される使用予測パターン情報を含む。また、使用予測パターン情報には、単位時間当たりの消費電力と対応するパラメータが含まれている。
【００６７】
消費電力予測手段７０２は、充電ログ７１１に含まれる充電間隔予測時刻情報から次の充電時刻を予測し、現在の時刻からその予測した充電時刻までの時間に使用する消費電力を予測する。予測にあたっては、使用ログ７１２に含まれる使用予測パターン情報を用いて現在の時刻から次の充電時刻までの時間における使用パターンを予測識別し、消費電力と対応するパラメータにもとづいてその使用予測パターンにおける消費電力を予測する。
【００６８】
充電判定手段７０３は、内蔵電池の容量を監視して、消費電力予測手段７０２が予測した現在の時刻から次の充電時刻までの時間における消費電力が電池残容量でまかなえるか否かを判定する。判定の結果、まかなえない状況にあることを識別すると、現在の位置情報と充電ログ７１１に記録された位置情報を比較して、現在の位置情報に応じて充電に関する適切な対処メッセージを表示出力する。
【００６９】
次に本発明の携帯端末装置の実施例２の構成について図８を用いて説明する。
【００７０】
図８では、実施例１の構成図である図１と同様の構成については同様の番号を付してその説明を省略する。実施例２における実施例１との主な違いは、外部から充電可能位置情報を取得する充電可能位置情報取得部８１０と、それを充電可能位置テーブル８３０として記憶部１４０に格納しておき、制御部１１０の充電可能位置識別部８２０が現在位置と充電可能位置とを比較することにより最適な対処メッセージを表示出力する点にある。
【００７１】
実施例２の携帯端末装置は、例えばサービスショップや電気店等の携帯端末装置を充電することが可能な環境の位置情報を外部から取得する充電可能位置情報取得部８１０を備えている。
【００７２】
この充電可能位置情報は、インターネット上に存在するサーバーからダウンロードするものであってもよいし、ＣＤ−ＲＯＭ等の記憶媒体に蓄積されているものを、携帯端末装置が読み込むものとして実施してもよい。したがって、携帯端末装置の充電可能位置情報取得部８１０は、インターネットと通信して当該情報を取得する機能を有する装置部であってもよいし、ＣＤ−ＲＯＭドライブ等の記憶メディアを読み込む装置部であってもよい。また、ＵＳＢインタフェースを介して他の端末装置から情報を転送する機能を有する装置部であってもかまわない。
【００７３】
充電可能位置情報の内容について図９を参照して説明する。
【００７４】
図９は、充電可能位置情報の内容の一例を示す概念図である。図９に示すように、充電可能位置情報は、サービスショップや電気店等の携帯端末装置を充電することが可能な環境の位置情報を有する。識別名称部にはそのサービスショップや電気店の名称が記載されており、位置情報には、それぞれが位置する場所の緯度・経度情報が登録されている。さらに、住所情報およびその場所を示すマークが付された地図情報が含まれている。
【００７５】
このような充電可能位置情報を取得した充電可能位置情報取得部８１０は、記憶部１４０の充電可能位置テーブル８３０に記憶する。
【００７６】
また、実施例２の携帯端末装置において、位置情報取得部１２０は緯度・経度で位置を特定することができるＧＰＳ装置であることが望ましい。
【００７７】
このように構成された実施例２の携帯端末装置の充電要否監視判定制御の動作を、図１０を参照して説明する。なお、図１０は、図６で説明した充電要否監視判定制御の動作と主要部分ではほとんど同じなので、実施例２に関連する制御部分を抜粋したフローチャートとして示す。
【００７８】
図６のステップ６０７から６１１で説明したように、携帯端末装置は、まず、電池の残容量で次回の充電予測時刻までの時間に使用される電力がまかなえるか否かを判定（ステップ６０７）する。この判定で、まかなえない状況にあることを識別（ステップ６０７：ＹＥＳ）すると、ユーザーへの警報表示制御を実行する。そのために、位置情報取得部から現在の位置情報を取得（ステップ６０９）し、さらに充電ログに記録されている充電を行った位置情報を取得（ステップ６１０）する。これは、携帯端末装置を現在使用している場所が、過去に充電を行った場所に含まれるか否かを判定する（ステップ６１１）ためである。
【００７９】
このステップ６１１の判定で、現在の場所が充電可能な環境にあることを識別した場合は、ユーザーに充電するように促すメッセージを表示部１６０に表示する（ステップ６１２）。ここまでの処理は実施例１と同じである。
【００８０】
一方、このステップ６１１の判定で、現在の場所が充電可能な環境ではないことを識別した場合は、充電可能位置が近傍に存在するか否かの判定（ステップ１００１）を行うことが実施例１と異なる。このステップ１００１の判定処理は、図８に示した充電可能位置識別部８２０が充電判定部１１３から起動されて実行する。
【００８１】
充電可能位置識別部８２０は、図６のステップ６０９で取得した携帯端末装置の現在の位置する場所と、記憶部１４０の充電可能位置テーブル８３０に登録されている充電可能位置とを比較する。
【００８２】
この比較に当たって、充電可能位置識別部８２０は、携帯端末装置の現在の位置する場所の緯度・経度情報と、充電可能位置テーブル８３０に登録されている充電可能位置の緯度・経度情報とにもとづいて、携帯端末装置の現在の位置する場所から予め定めた距離（例えば１Ｋｍ）以内に充電可能位置が存在するか否かを識別する。
【００８３】
このステップ１００１の判定の結果、携帯端末装置の現在の位置する場所から予め定めた距離（例えば１Ｋｍ）以内に充電可能位置が存在する場合には、その旨と、その識別した充電可能位置に対応する地図情報を充電判定部１１３に送信する。なお、このとき、充電可能位置識別部８２０は、充電可能位置を示すマークが付された地図情報に、当該携帯端末装置が位置する場所を示すマークを付してもよい。識別した充電可能位置が複数存在する場合には、携帯端末装置の位置する場所に最も近い場所を優先的に選択する。また、最も近い場所の充電可能位置情報以外にもいくつかの複数候補を含めてもよい。
【００８４】
このように、ステップ１００１の判定結果として、携帯端末装置の位置する場所の近傍に存在する充電可能位置に関する情報を受取った充電判定部１１３は、電池残容量から求めた使用可能予測時間を示すメッセージとともに、近くに充電可能位置が存在する旨を伝えるメッセージを表示部１６０に表示する（ステップ１００２）。
【００８５】
このメッセージにもとづいてユーザーが充電可能位置情報の表示を希望する操作を行うと、充電可能位置を示すマークと当該携帯端末装置が位置する場所を示すマークを付した地図情報を表示部１６０に表示する。複数候補がある場合にはそれらを示し、ユーザーの指定操作によりそれらのいずれかを選択して表示するようにしてもよい。
【００８６】
一方、ステップ１００１の判定結果として、携帯端末装置の位置する場所の近傍に充電可能位置が存在しない場合には、電池残容量から求めた使用可能予測時間を示すメッセージとともに、近くに充電可能位置が存在しない旨を伝えるメッセージを明示的に表示部１６０に表示する（ステップ１００３）。
【００８７】
なお、上記の説明において、充電可能位置情報には地図情報を含むものとして説明したが、地図情報を含まなくても実施例２は実現できる。この場合は、携帯端末装置の現在の位置する場所と充電可能位置が存在する場所との距離、方位を算出して、サービスショップや電気店の名称の識別名称とともに表示するメッセージを出力すれば良い。
【００８８】
以上に説明したように、実施例２の携帯端末装置は、サービスショップや電気店等のユーザー自身の環境ではないが、携帯端末装置を充電することが可能な環境の位置情報である充電可能位置情報を予め蓄積している。そして、ユーザー自身の環境で次に充電を行うであろう予測時間までに消費される電力を電池残容量ではまかなえず、しかも現在の場所がユーザー自身の環境で充電を行える場所ではないことを識別すると、充電可能位置情報を参照して現在の場所の近くにある充電可能位置情報を識別し、その情報をユーザーに提供する。そのため、ユーザーは、現在の場所が通常充電を行う場所でなかったとしても、提供された情報にしたがって、近くのサービスショップや電気店等で充電のサービスを受けることができる。
【００８９】
このように、本発明の実施例２の携帯端末装置は、現在の位置情報と充電を行った際に記録した位置情報、さらには街中の随所に設置されている充電可能位置情報とにもとづいて適切な表示出力を行う。そのため、ユーザーは携帯端末装置を充電することが可能な状況にあることを極めて容易に知ることができ、ユーザーが携帯端末装置を使用している途中に電池切れとなるような不都合を防ぐことが可能となる。
【図面の簡単な説明】
【００９０】
【図１】本発明の携帯端末装置の実施例１の構成を示すブロック図
【図２】実施例１における充電ログの例を示す概念図
【図３】実施例１における使用ログの例を示す概念図
【図４】実施例１における充電ログ作成動作を示すフローチャート
【図５】実施例１における使用ログ作成動作を示すフローチャート
【図６】実施例１における充電要否監視制御の動作を示すフローチャート
【図７】本発明の携帯端末装置の最小構成を示すブロック図
【図８】本発明の携帯端末装置の実施例２の構成を示すブロック図
【図９】実施例２における充電可能位置情報の例を示す概念図
【図１０】実施例２における充電要否監視制御（抜粋）の動作を示すフローチャート
【符号の説明】
【００９１】
１００    携帯端末装置
１１０    制御部
１１１    ログ収集部
１１２    使用電力予測部
１１３    充電判定部
１２０    位置情報取得部
１３０    電池
１４０    記憶部
１４１    充電ログ
１４２    使用ログ
１５０    充電制御部
１６０    表示部
８１０    充電可能位置情報取得部
８２０    充電可能位置識別部
８３０    充電可能位置テーブル
【図１】
2009017621.tif 000003
【図２】
2009017621.tif 000004
【図３】
2009017621.tif 000005
【図４】
2009017621.tif 000006
【図５】
2009017621.tif 000007
【図６】
2009017621.tif 000008
【図７】
2009017621.tif 000009
【図８】
2009017621.tif 000010
【図９】
2009017621.tif 000011
【図１０】
2009017621.tif 000012